(57)【要約】【課題】  保守性、製造効率に優れ、かつ、適切な交換時期の判別可能なこと。【解決手段】  標識用反射部品を、内径が標識の柱本体の外径よりも短く帯状に成形され、標識の柱本体に挟持可能な弾性を有する支持帯と、光反射用の反射シートと、前記反射シートを前記支持帯との間で挟掴するための取付手段を用いて構成し、さらに、支持帯下部に滑り止め手段を設ける。また、反射シートは、所定の間隔または識別情報として防汚手段が設けることによって反射性能に支障を来たすことなく交換時期を把握可能にする。【選択図】      図１
2006057413.tif 000002
【特許請求の範囲】
【請求項１】
光を反射するための反射手段装着用の支持帯であって内径が道路標識の柱本体の外径よりも短く帯状に成形され、柱本体に挟持可能な弾性を有する支持帯と、
前記支持帯の下部に設けられた滑り止め手段と、
を備えたことを特徴とする道路標識用反射部品。
【請求項２】
前記滑り止め手段は、前記道路標識用反射部品が道路標識の柱本体に装着されたときに、自動車のライトを該自動車の運転手へ向けて反射するための所定の角度を形成することを特徴とする請求項１記載の道路標識用反射部品。
【請求項３】
前記滑り止め手段は、前記支持帯の内側に設けられた先端が下向きの爪状の滑り止め手段であることを特徴とする請求項１記載の道路標識用反射部品。
【請求項４】
前記滑り止め手段は、シート状の反射手段を前記支持帯との間で挟掴する手段を有することを特徴とする請求項１ないし３のいずれか一に記載の道路標識用反射部品。
【請求項５】
前記反射手段は、所定の間隔または識別情報として防汚手段が設けられていることを特徴とする請求項４記載の道路標識用反射部品。
【請求項６】
前記支持帯は、長手方向の少なくとも一端近傍に指支持可能な突起部を有することを特徴とする請求項１記載の道路標識用反射部品
【請求項７】
前記支持帯は、標識の柱本体に取り付けたときに勘合可能な鋸上の突起を有することを特徴とする請求項６記載の標識用反射部品。
【請求項８】
側面部に光を反射するための反射手段を有する道路標識の柱本体に被装される透明保護カバーであって、
前記保護カバー内側に爪状滑り止め手段を設けたことを特徴とする道路標識用保護カバー。
【請求項９】
道路標識の柱本体に被装される保護カバーであって、
側面部に光を反射するためのシート状の反射手段を有し、内側に先端が上向きの爪状滑り止め手段を供えたことを特徴とする道路標識用保護カバー。
【請求項１０】
側面部に光を反射するための反射手段を有する柱本体と、内径が道路標識の柱本体の外径よりも短く帯状に成形され、前記柱本体に挟持可能な弾性を有する、前記反射手段の輝度汚染を抑制するための支持帯とからなる道路標識であって、
前記支持帯は、透明材料に蓄光材を混入して成形されていることを特徴とする道路標識。
【発明の詳細な説明】
【技術分野】
【０００１】
本発明は、道路の安全、誘導等のために用いられる道路標識、道路標識用反射部品、および、道路標識用保護カバーに関する。
【背景技術】
【０００２】
従来、道路の安全、誘導、規制ためのための用具（標識）の反射部品が汚れたときに、反射輝度を簡便かつ経済的に回復させる手法が提案されている。
【０００３】
たとえば、特許文献１には、帯状の反射部を着脱自在にして、汚損などによって輝度が低下したときに容易に交換することのできる道路標識用の反射部品および反射輝度の回復方法が記載されている。
【０００４】
この技術は、反射部品を合成樹脂等で成形した場合、太陽熱で高温になり保持力が弱まり、下にずれる可能性があった。また、雪の重み等によっても同様に押し下げられる可能性があった。
【０００５】
これに対して、特許文献２および３では、光反射シートを貼付した道路標識の柱本体（ポストコーンなど）に透明な保護カバーを被冠させ、保護カバーを柱本体にネジ留めして固定する技術が提案されている。
【０００６】
ところで、道路上の作業は交通渋滞を招き易く、事故の危険性も非常に高い。このため、反射部や板の交換作業は短時間で終了し、一刻も早く作業現場を離れることが重要になる。しかも取り付けた後は、太陽熱や雪等の重みでずれることなく、また車等の接触で簡単に外れないようにしなければならない。
【０００７】
また、従来の技術では、そもそも反射部品の交換時期が分かりづらいという問題もある。汚れは時間経過と共に徐々に蓄積されるもので、適切な交換時期が判断しづらく、保守員の感覚に任せるか、あるいは定期的に交換を行う等の対応になる。このため汚れが少なく交換しなくても良い時期に交換したり、あるいは交換しなければならない時期に交換されないという問題がある。
【特許文献１】特開平９−６２２１４号公報
【特許文献２】特開平６−２４８６１８号公報
【特許文献３】特開２００１−２２３２号公報
【発明の開示】
【発明が解決しようとする課題】
【０００８】
本発明は、上述のかかる事情に対処するためになされたもので、装着安定性があり、保守性、製造効率に優れ、かつ、適切な交換時期の判別可能な道路標識、道路標識用反射部品、および、道路標識用保護カバーを提供することを目的とする。
【課題を解決するための手段】
【０００９】
上記の課題を解決するため、本発明に係わる道路標識用反射部品は、光を反射するための反射手段装着用の支持帯であって内径が道路標識の柱本体の外径よりも短く帯状に成形され、柱本体に挟持可能な弾性を有する支持帯と、少なくとも前記支持帯の下部に設けられた滑り止め手段と、を備えたことを特徴とする。
【００１０】
好ましくは、前記滑り止め手段は、前記道路標識用反射部品が道路標識の柱本体に装着されたときに、自動車のライトを該自動車の運転手へ向けて反射するための所定の角度を形成するようにする。
【００１１】
道路標識用反射部品を反射面が角度２度〜１０度位の範囲内で上向きになるように標識の柱本体に装着可能なように滑り止め手段を支持帯に設け、自動車のライトの反射光が運転手へ適切に戻るようにして輝度効率を上げる。
【００１２】
ここで、「装着」は、取り付けることのほか、貼付や塗布も含む趣旨である。なお、本発明に係わる標識用反射部品は、道路標識以外に、安全、誘導、規制を目的としたもの全般に適用可能である。たとえば、自転車などに取り付ける反射板などとして用いることもできる。「道路標識の柱本体」とは、反射部品を取り付けるためのベースとなるもの全てを含む趣旨であり、いわゆるポストコーンのほか、ガードレールの柱やカーブミラーの柱なども含む。
【００１３】
また、本発明に係わる道路標識用反射部品では、さらに、前記滑り止め手段は、前記支持帯の内側に設けられた先端が下向きの爪状の滑り止め手段であることを特徴とする。
【００１４】
金属板の反り等により先端が下向きの爪状にすることによって、支持帯が確実に標識柱に固定し、雪等の重みによって下へ押し下げられることを抑制する。
【００１５】
好ましくは、前記滑り止め手段は、シート状の反射手段を前記支持帯との間で挟むクリップ等の挟掴手段を有するようにするとよい。汚損して輝度の低下した反射シートが交換容易になると共に滑り止めも兼ねることができる。
【００１６】
このとき、前記反射手段は、所定の間隔または識別情報として防汚手段を設けるようにしてもよい。
【００１７】
反射シートに光触媒剤など（防汚手段）を塗る部分と塗らない部分を設けることによって、光触媒の自浄作用により、塗った部分の反射輝度の低下は塗らない部分に比べ相対的に少なくなる。このため、光を照射したときに、模様となって認識可能となる。これにより汚れの蓄積程度を把握することができ反射部品の交換時期が分かる。
【００１８】
なお、肉眼で縞模様を認識する場合は、数センチメートル〜十数センチメートル程度の間隔が適している。また、所定の間隔に替えて、所定の文字、記号、模様、番号など（識別情報）の形で塗布するようにしても良い。
【００１９】
さらに、塗る部分と塗らない部分を設けるという方法に替え、自浄性能の異なる光触媒を塗り分けるようにしてもよい。また、光触媒剤に替えて微生物を用いたり、間隔を開けてコーティングを施してもよい。
【００２０】
また、本発明に係わる道路標識用反射部品は、前記支持帯は、長手方向の少なくとも一端近傍に指支持可能な突起部を有することを特徴とする。保守時に、この突起によって、確実かつ容易に標識用反射部品を取り外すことができ、迅速な交換が可能となる。
【００２１】
なお、この突起部は、挟掴手段に設けるようにしてもよい。また、指で力を加えることができれば、突起部に限らず、例えば凹部であってもよい。
【００２２】
好ましくは、前記支持帯に、標識の柱本体に取り付けたときに勘合可能な鋸上の突起を設けるようにする。これにより反射部品の挟持力が安定し、振動等によって脱落することを防止できる。
【００２３】
また、本発明に係わる道路標識用保護カバーは、側面部に光を反射するための反射手段を有する道路標識の柱本体に被装される保護カバーであって、前記保護カバー内側に爪状の滑り止め手段を設けたことを特徴とする。
【００２４】
ここで、「道路標識の柱本体に被装される」とは、少なくとも柱本体の側面部の反射手段が被われておれば足りる趣旨である。
【００２５】
特に前記道路標識用保護カバーを有底筒状とすることによって、着脱容易で、かつ雨水などの浸入を防止することができる。
【００２６】
なお、道路標識の柱本体に反射手段を設けることに替えて、道路標識用保護カバーにシート状の反射手段を設けるようにしてもよい。
【００２７】
また、本発明に係わる道路標識は、側面部に光を反射するための反射手段を有する柱本体と、内径が道路標識の柱本体の外径よりも短く帯状に成形され、前記柱本体に挟持可能な弾性を有する、前記反射手段の輝度汚染を抑制するための支持帯とからなる道路標識であって、前記支持帯は、透明材料に蓄光材を混入して成形されていることを特徴とする。
【００２８】
支持帯を透明材料で成形して、柱本体に取り付けられた反射手段による反射光を透過可能にし、さらに、蓄光材混入によって、光の無いときでも認識できるようにする。なお、支持帯に替えて、透明材料に蓄光材を混入して成形された保護カバーを用いるようにしてもよい。ここで、「透明」とは、半透明も含む趣旨である。
【発明の効果】
【００２９】
本発明による道路標識用反射部品は、標識の柱本体に取り付けたとき、振動等によって容易に外れず、交換のときは、支持帯両端を押し開くことによって簡単に着脱することができるため、保守性に優れ、迅速安全に交換保守を行うことができる。また、反射シートのみを交換することによって安価に反射輝度を回復させることができる。さらに、反射手段に対して防汚手段を所定間隔で設けることによって、交換時期の把握が容易となる。
【００３０】
また、本発明による道路標識用保護カバーは、着脱容易で有底筒状にすることによって雨水の浸入を防ぎ反射手段の汚損を抑制することができる。
【００３１】
さらに、本発明による道路標識は、柱本体に反射手段を設け、それを保護する支持帯または保護カバーを透明材料に蓄光材を混入させて成形することによって、反射手段の汚損を防ぎつつ、夜間光の乏しいところでも標識が認識可能になる。
【発明を実施するための最良の形態】
【００３２】
本発明は道路の安全、誘導、規制用具等に付けられている反射部品を着脱容易にし、反射シートの交換を容易に行うようにしたものである。
本発明の第１の実施形態を図１に基づいて説明する。図１は本発明の反射部品を表す斜視図である。この反射部品１は反射シート（反射手段）３、反射シートを貼る基盤となる支持帯２、反射シート３を支持帯２へ固定するための取付手段４、および、滑り止め手段５から構成されている。取付手段４は、支持帯２両端の直線辺上に計２箇所取り付けられ、反射シート３と支持帯２を挟掴することによって固定している。また、滑り止め手段５は、反射部品１が標識の柱本体に取り付けられたときに下に位置する支持帯２上の曲線辺上に４箇所（通常数箇所程度）取り付けられている。
【００３３】
次に、図２ないし図１２を用いて、反射部品１の詳細構成および製造方法について説明する。
【００３４】
<取付手段の構成>
図２は、取付手段４の展開図である。金属材料で作られ反射シート３と共に支持帯２に固定させるための鋭角な突起４２と滑り止め用の突起（ひっかけ爪）４１が設けられている。
【００３５】
取付手段４は、使用時は図３のように変形させ、図３のＡ方向から支持帯２と反射シート３を挟み、突起４２で圧着して固定する。この材質は、ＳＵＳ３０４厚み０．４から０．３が適している。図４は、図１のＪ部のｊｊ断面拡大図である。ひっかけ爪４１を内側（支持帯２内径の中心方向）へ角度４５度程度反らせることによって、標識の柱本体１１に取り付けたときに柱本体１１と接触して、滑り止めとしての作用を果たす。
【００３６】
図５は、滑り止め手段５の展開図である。使用時は、図６のように約４５度ひっかけ爪５１を反らせ、さらに図７に示すようにくびれ部分５３を中心に全体をＵの字状に変形させ、両端の突起５２を支持帯２へ挿着する。
【００３７】
<支持帯の構成>
図８は、射出成形された支持帯２の斜視図である。この支持帯２は、プラスチック等の弾性を有する樹脂で製造され、また、湾曲した支持帯２の内径は、通常時（標識の柱本体１１への非装着時）は図９に示すように柱本体１１の被装着位置の外径よりも小さく形成される。これは、柱本体１１に装着されたときに、その復元作用によって標識に適度な挟持力で固定可能にするためである。
【００３８】
この支持帯２を、たとえば、ポリプロピレン等のポリマー材料で構成し、突起４２、５２をステンレスＳＵＳ３０４厚み０．４から０．３で鋭角に形成して、この突起を、支持帯２に突き刺すことによって挿着する。
【００３９】
なお、必要により支持帯２に、突起４２、５２を挿入するための適度な大きさの孔を開けて挿着するようにしてもよい。
【００４０】
<反射シートの構成>
反射シート３は支持帯２の上に重ねて配置する反射素材であり、一定間隔ごとに光触媒を担持させるための枠が点線で描かれている。光触媒の担持方法としては、たとえば、支持帯２に接着剤を塗布し、さらにその上に光触媒層形成用コーティング剤を塗布するという方法や予め触媒加工した透明シートを支持帯２に被覆させるという方法がある。
【００４１】
図１０は反射シート３を光触媒塗布方向から見た図である。この図において光触媒を塗布する部分ａと光触媒を塗布しない部分ｂは数センチ間隔で交互に配置されている。
【００４２】
図１１は使用状態の反射シート３に汚れが付着したときの説明図である。この図において、光触媒を塗布した部分ａは汚れが少なく、光触媒を塗布していない部分ｂは汚れが大きいので反射輝度が異なる。このため、車のヘッドライトなどの光があたったとき、図１１のように縞模様となって認識できる。この縞模様の発生具合から反射シート３の交換時期を容易に判断することができる。
【００４３】
なお、光触媒を文字や記号の形で塗布するようにしても良い。この場合は特定の文字や記号が認識できれば、交換時期であると判断することができる。また、光触媒に替え、微生物や他の防汚効果の有するコーティングを用いるようにしてもよい。
【００４４】
<反射部品の組立方法>
次に、反射部品１の組立方法を説明する。図１２において、反射シート３を支持帯２に巻き込むようにセットする。このとき、反射シート３の端Ｅは、取付手段４が取り付けられたときに辺Ｄよりも外に出るようにする。また、反射シート３は、反射機能を有する面Ｆが外向きになるようにセットする。
【００４５】
そして、取付手段４の突起４２を支持帯２の挿着位置に合わせて、取付手段４の面Ｂに圧力を掛け、カシメるようにして支持帯２に固定させる。このとき、突起４２が反射シート３を突き破って支持帯２にくい込むため、反射シート３は、しっかりと固定される。
【００４６】
その後、反射シート３を適度な張力で引っ張りつつ、支持帯２の他端に対しても同様な手順で作業を行い、反射シート３を取付手段４によって支持帯２へ固定する。その後、取付手段４の辺Ｄに平行に適当な長さを残して反射シート３を切断して切り離す。なお、反射シート３を予め支持帯２の外周とほぼ同じに切断しておいてもよい。
【００４７】
また、滑り止め手段５は、支持帯２の挿着位置にその突起５２を合せ、カシメて固定する。なお、ひっかけ爪４１、５１は、それぞれ取付手段４と滑り止め手段５の装着前に、所定の角度曲げておくものとする。
以上の手順によって、反射部品１を製造する。
【００４８】
反射部品１を標識の柱本体１１に取り付けるときは、反射部品１の両方の取付手段４を持って、反射部品１を開くように彎曲させて標識の柱本体１１の上方または横方向から挿入して所定の位置で離す。これによって、支持帯２の復元力が標識の柱本体１１を鋏む挟持力となって取付部品１が標識の柱本体１１に固定させる。
【００４９】
図１３は反射部品１を標識の柱本体１１に取り付けたときの斜視図である。取付手段４は、通常、運転手から見えない方向にセットされる。
【００５０】
図１４に示すように柱本体１１の下部に取り付けられた滑り止め手段５によって、反射部品１の反射面が柱側面に対して若干上向きとなるため、車のライトがドライバに向かって反射するため輝度効率がよくなる。角度としては、一般的に２〜５度程度上向きにするのが好ましいが、反射部品１の取り付け位置によって、ひっかけ爪４１、５１の角度を変えることによって適切な反射角度になるように調整すればよい。
【００５１】
一方、取はずときは、両方の取付手段４の面Ｃ（図１２）に指を当てて、反射部品１を開くようにして、上方または横から抜く。なお、図１５に示すようにジグ９１の作用部９２を反射部品１の両端に挿入して、標識の柱本体１１に対して反対方向（同図中矢印方向）に力を加えることによって反射部品１を開いて取り去るようにしてもよい。
【００５２】
本実施の形態によれば、反射部品１を弾力のあるプラスチックで等の樹脂で成型し、形状を弧状としたため、ポールなどの標識の柱本体に巻きつけて使用する場合に適度な挟持力が得られ、簡単な作業で反射部品の取替を行うことができる。また、支持帯下部に先端を下向きにひっかけ爪を設けるようにしたので、装着安定性が向上し、さらに、ひっかけ爪の長さおよび角度を調整することによって、車のライトの反射角度を車の運転手に対して適切な角度となるように設定することができる。
【００５３】
なお、ひっかけ爪は、先端を上向きあるいは支持帯に対して直角にしても滑り止め効果は得られるが、先端を下向きにすることによって、反射部品の重量による下方へのずれを抑制する効果が大きくなると共に標識の柱本体がポストコーンの場合は、ポストコーンの上部から容易に撤去することができる。
【００５４】
さらに、反射シート３には所定間隔で光触媒が塗布されているため、光触媒の自浄効果によって汚れによる輝度の低下を抑制でき、また、時間経過とともに光触媒を塗布した部分と塗布していない部分では反射率（反射輝度）の差が生じ、反射シート３が縞模様に変化する。このため、反射シート３の汚れ具合が判り、交換時期を容易に判定できる。特に、反射輝度の低下に伴い、逆に縞模様が目立つことになり、識別力の低下を抑制することができ、交通事故等の防止を図ることができる。
【００５５】
また、反射シート３の両端のみを支持帯２に固定するようになっているため、支持帯２を開いた時に反射シート３に皺ができにくく、反射シート３の全面を支持帯２に貼り付けている場合と違い反射部品１の交換時に支持帯２から反射シート３を剥がしやすく製造工数が少なくてすむ。
【００５６】
なお、反射シートを端の部分で固定するため、雨等による反射シートの端の部分の強度劣化が問題となるが、本実施の形態の取付手段を用いることによって、少なくとも支持帯の端の部分は、標識の柱本体から離れるため、雨等が溜まりにくく強度劣化を抑制するという効果もある。
【００５７】
また、上述の実施形態では、反射シート３を取付手段４によって支持帯２に固定することとしたが、支持帯２の下部、または、下部と上部の両方に設ける滑り止め手段５によって、反射シート３と支持帯２を挟むことにより、また必要により接着剤を用いて固定するようにしてもよい。この場合、取付手段４を省略することも可能である。
【００５８】
次に、反射部品の他の実施例を説明する。
（他の実施例１）
図１６は、他の実施例における反射部品１の斜視図である。この図において支持帯２は渦巻状をなしている。支持帯２の内径は、標識の柱本体１１の直径よりも短くなっている。この内径は、標識の柱本体１１の直径と必要な挟持力によって決る。また、支持帯２の両端には、鋸状に突起２３が設けられている。この場合、接着剤を用いて反射シート３を支持帯２に固定するか、滑り止め手段５によって反射シート３と支持帯２を挟掴することにより固定する。図１７に、この反射部品が標識の柱本体に取り付けられたときの状態を示す。支持帯の挟持力と滑り止め手段５によって安定して装着できる。なお、本実施例における取付部品４では、ひっかけ爪４１は特に必要としない。
【００５９】
また、図１８は図１６の反射部品１の突起２３が勘合状態にあるときの説明図である。反射部品１が標識の柱本体に取り付けられたときに、支持帯２の復元作用によって締まる方向に移動、すなわち、図１８の矢印方向に移動する。そして、突起２３の勘合状態が進むと緩む方向には移動しないため、挟持力が維持される。これによって、地震や車の接触等によって、標識１０に振動が加わっても容易に外れることを防ぐことができる。
【００６０】
この反射部品１を外すときは、取付部品４の背に指を掛けて、外側（標識の柱本体と反対側）の方向に力を加えるようにして、突起２３の勘合をはずすようにする。
なお、支持帯の渦巻きおよび鋸上の突起部分を長く取る、すなわち鋸の歯数を多くすることによって標識の柱本体１１のサイズの違いに柔軟に対応できる。
【００６１】
（他の実施例２）
図１９は、取付手段４の他の実施例による構成を表す斜視図である。上方から見ると変形したコの字型となっており、金属材料で作られ反射シート３と共に支持帯２に固定させるための鋭角な突起４１が設けられている。
【００６２】
また、取付手段４は、図２０の平面図に示すように、面Ａと面Ｃとのなす角αは鈍角であり、面Ｃと面Ｂとのなす角βは鋭角となっている。ここで、面Ａは彎曲をなす支持帯２の内側（標識本体側）に位置し、面Ｂは支持帯２の外側になるように装着される。
【００６３】
本実施例による取付手段４の形状は、正確なコの字型でなく、標識の柱本体側面Ａとなす角度αを鈍角としたため、指で支持しやすく着脱時の作業性が向上する。なお、角度αは、９５度〜１２０度程度、面Ｃのサイズ（平面図上の面Ｃの長さ）は、数ｍｍ〜十数ｍｍ程度が好ましい。
【００６４】
なお、取付手段４のカシメ方として、図２１に示すように、面Ｇと面Ｈとの間の隙間を無くすようにカシメれば取付強度が向上する。また、突起部４５を形成するようにカシメるようにすれば、反射部品の装着時や撤去時に突起部４５に指を当てて楽に支持帯を変形させることができる。
【００６５】
（他の実施例３）
図２２は、他の実施例による反射部品およびこの製造方法の説明図である。この図において、支持帯２は、一端に切込み７を有している。
【００６６】
反射部品１の製造において、図中まず反射シート３を反射面を上にして支持帯２の上に載せ、支持帯２の切込み７に反射シート３を差し込む。そして、反射シート３を適当な力で引っ張りつつ、支持帯２の他端で折返して、取付手段４で鋏むようにして装着する。そして、はみ出した反射シート３取付手段の辺に沿って切断する。なお、切込み７への挿入時に、切込み７およびその近傍で必要により接着剤で補強して反射シートを止めるようにしても良い。このとき、反射シート３は予め支持帯２の外周とほぼ同じに切断しておいてもよい。
【００６７】
（他の実施例４）
金属によって滑り止め手段５を設ける替りに、図２３に示すように支持帯の一部として滑り止め用突起２４を一体成形するようにしてもよい。
【００６８】
次に、第２の実施の形態を説明する。本実施の形態では、図２４に示すように柱本体１１を被う保護カバー８１に対して滑り止め手段５を設けた。この滑り止め手段５は、図５に示す金属製ひっかけ爪を先端が上向きになるように反らせる。なお、ひっかけ爪を保護カバー８１と一体成形をするようにしてもよい。
【００６９】
この保護カバー８１は、透明材料に必要により蓄光材を混入し筒状に成形されている。また、柱１１に反射シート３が貼付されている。
【００７０】
保護カバー８１は、有底、無底いずれでも良いが、片側有底にすることによって、図２５に示すように柱本体１１の全体を被うことができ、雨水の浸入を防ぎ反射シート３の汚損を抑制することができる。
【００７１】
なお、反射シート３は、柱本体１１に貼付する替りに保護カバー８１の内側に貼付するようにしてもよい。
また、保護カバー８１の替りに、透明材料で蓄光材を混入した支持帯２と反射シート３を貼付した柱本体１１によって道路標識を構成するようにしてもよい。
【００７２】
本実施の形態によれば、保護カバーに上向きにひっかけ爪（滑り止め手段）を設けることによって、装着しやすく、装着後は簡単に抜けることを防ぐことができる。
【００７３】
なお、撤去するときは、保護カバーの下側から図２６に示すジグ７１を挿入して、図１２に示すようにひっかけ爪と柱本体１１の間にジグの上部を挿入するようにして撤去する。
【００７４】
本実施の形態によれば、有底の保護カバーを用いることによって保護カバー内の浸水を防止でき、さらに、ネジ止め作業が不要となり迅速な交換作業が可能となる。なお、反射シート３を保護カバー８１の外側に貼付することも可能である。この場合、保護カバー８１は、着色不透明であってもよい。
【００７５】
本発明は、その要旨を逸脱しない範囲で種々変形して実施できることは明らかである。たとえば、防汚手段としては、光触媒剤の替りに微生物を用いるようにしてもよいし、防汚性能の異なるコーティングを所定間隔で施すようにしてもよい。
【図面の簡単な説明】
【００７６】
【図１】本発明の第１の実施の形態による標識用反射部品の斜視図である。
【図２】図１の取付手段４の展開平面図である。
【図３】図２の取付手段の変形状態の説明図である。
【図４】図１のＪ部分の拡大図である。
【図５】図１の滑り止め手段５の展開平面図である。
【図６】図５の滑り止め手段５の組立説明図である。（その１）
【図７】図５の滑り止め手段５の組立説明図である。（その２）
【図８】図１の支持帯の斜視図である。
【図９】支持帯の内径と標識の柱本体のサイズとの関係の説明図である。
【図１０】反射シート３への光触媒塗布のしかたの説明図である。
【図１１】反射シートに汚れが付着した状態の説明図である。
【図１２】反射部品の組立方法の説明図である。
【図１３】反射部品が標識の柱本体に取り付けられたときの斜視図である。
【図１４】図１の反射部品の使用状態の説明図である。
【図１５】図１の反射部品を柱本体から撤去する方法の説明図である。
【図１６】他の実施例における反射部品の斜視図である。
【図１７】図１６の反射部品が標識の柱本体に取り付けられたときの斜視図である。
【図１８】図１６の反射部品の突起２３の勘合状態の説明図である。
【図１９】図１の取付手段４の他の実施例による斜視図である。
【図２０】図１９の取付手段を上から見た平面図である。
【図２１】取付手段のカシメ方の説明図である。
【図２２】他の実施例による反射部品およびこの製造方法の説明図である。
【図２３】本発明の他の実施例による反射部品の斜視図である。
【図２４】本発明の第２の実施の形態による保護カバーの斜視図である。
【図２５】図２４の使用状態の説明図である。
【図２６】図２３の保護カバーを撤去するためのジグ７１の斜視図である。
【図２７】図２６のジグを用いて保護カバー８１を撤去する方法の説明図である。
【符号の説明】
【００７７】
１  反射部品、    ２  支持帯、    ３  反射シート、    ４  取付手段
５  滑り止め手段、  １０  標識、    １１  標識の柱本体、  １２  補助具、
２３  鋸状突起、  ４１、５１  ひっかけ爪、  ４２、５２  突起、
７１  保護カバー撤去用ジグ、８１  保護カバー
【図１】
2006057413.tif 000003
【図２】
2006057413.tif 000004
【図３】
2006057413.tif 000005
【図４】
2006057413.tif 000006
【図５】
2006057413.tif 000007
【図６】
2006057413.tif 000008
【図７】
2006057413.tif 000009
【図８】
2006057413.tif 000010
【図９】
2006057413.tif 000011
【図１０】
2006057413.tif 000012
【図１１】
2006057413.tif 000013
【図１２】
2006057413.tif 000014
【図１３】
2006057413.tif 000015
【図１４】
2006057413.tif 000016
【図１５】
2006057413.tif 000017
【図１６】
2006057413.tif 000018
【図１７】
2006057413.tif 000019
【図１８】
2006057413.tif 000020
【図１９】
2006057413.tif 000021
【図２０】
2006057413.tif 000022
【図２１】
2006057413.tif 000023
【図２２】
2006057413.tif 000024
【図２３】
2006057413.tif 000025
【図２４】
2006057413.tif 000026
【図２５】
2006057413.tif 000027
【図２６】
2006057413.tif 000028
【図２７】
2006057413.tif 000029